(57)【要約】【課題】使用者がマッサージ機の座部に腰掛けたり、背もたれ部を倒してこの背もたれ部にもたれ掛かった状態においても、リモコンをリモコンホルダーに保持させたまま楽な姿勢で操作することのできるマッサージ機を提供する。【解決手段】背もたれ部１の側部１ａに背もたれ１と座部２の間を移動自在として設けられたスタンド１０に取り付けたリモコンホルダー１１に、操作スイッチ９が設置面７ａに設けられたリモコン７を、その操作スイッチ９が露出するようにして着脱自在として保持したものとしている。【選択図】        図１
2004290230.tif 000002
【特許請求の範囲】
【請求項１】
背もたれ部（１）の側部（１ａ）に背もたれ（１）と座部（２）の間を移動自在として設けられたスタンド（１０）に取り付けたリモコンホルダー（１１）に、操作スイッチ（９）が設置面（７ａ）に設けられたリモコン（７）を、その操作スイッチ（９）が露出するようにして着脱自在として保持したことを特徴とするマッサージ機。
【請求項２】
前記リモコン（７）を、操作スイッチ（９）の設置面（７ａ）を内向きにして、スタンド（１０）に取り付けたリモコンホルダー（１１）に保持したことを特徴とする請求項１記載のマッサージ機。
【請求項３】
前記リモコン（７）を、操作スイッチ（９）の設置面（７ａ）を上向きにして、スタンド（１０）に取り付けたリモコンホルダー（１１）に保持したことを特徴とする請求項１記載のマッサージ機。
【請求項４】
前記スタンド（１０）を、背もたれ部（１）の内部に設けられた回動機構によって、背もたれ部（１）と座部（２）の間を移動自在としたことを特徴とする請求項１記載のマッサージ機。
【請求項５】
前記スタンド（１０）を、使用者の手動操作によって背もたれ部（１）と座部（２）の間を移動自在としたことを特徴とする請求項１記載のマッサージ機。
【発明の詳細な説明】
【０００１】
【発明の属する技術分野】
この発明は、リモコンを備えたマッサージ機に関するものである。
【０００２】
【従来の技術】
従来、マッサージ機には、リモコンを備えたものが存在し、このリモコンをマッサージ機の座部に腰掛けて操作したり、背もたれ部を倒してこの背もたれ部にもたれ掛かった状態で操作し、マッサージの施療動作の種類、その強弱、施療個所、施療時間などを使用者が簡単に設定操作できるようにしている。
【０００３】
このようなマッサージ機としては、例えば図８に示したように、使用者にマッサージを施すように動作するマッサージ部を背もたれ部２１に備え、座部２２の左右両側に肘掛け部２６が設けられた椅子型のマッサージ機において、マッサージ部等の操作を手に持って行うリモコン２７と、このリモコン２７の不使用時用の収納部２８を備え、この収納部２８とは別に、肘掛け部２６の上部または肘掛け部２６の上方に前記リモコン２７を保持可能なリモコンホルダー２９が取り付けられたものが存在する（特許文献１参照）。
【０００４】
【特許文献１】
特開２００１−３２７５６６号公報（第２頁、図１）
【０００５】
【発明が解決しようとする課題】
上記従来のマッサージ機では、リモコン２７を保持可能なリモコンホルダー２９が肘掛け部２６の上部または肘掛け部２６の上方に取り付けられたものとしているので、使用者がマッサージ機の座部に腰掛けた状態でリモコン２７を操作する場合には、そのリモコン２７が使用者の手の届き易い位置になり、リモコン２７をリモコンホルダー２９に保持させた状態で操作することができる。そのため、使用者はリモコン２７を手で持たなくてもよくなり、手で持つという負担が解消され、楽な姿勢でリモコン２７を操作することができる。
【０００６】
しかしながら、上記従来のマッサージ機では、使用者がマッサージ機の背もたれ部２１を倒してこの背もたれ部２１にもたれ掛かった状態でリモコン２７を操作する場合には、そのリモコン２７が使用者の手の届き難い位置になり、リモコン２７をリモコンホルダー２９に保持させた状態で操作するには、使用者が背もたれ部２１にもたれ掛かった状態から起き上がってそのリモコン２７を操作しなければならず、この起き上がる動作が使用者に負担となると共に、非常に面倒であるという問題点を有していた。なお、使用者がマッサージ機の背もたれ部２１を倒してこの背もたれ部２１にもたれ掛かった状態でリモコン２７を操作する場合には、そのリモコン２７をリモコンホルダー２９から外して手で持った状態でも操作することはできるが、手で持つという負担が解消されず、リモコンホルダー２９を肘掛け部２６の上部または肘掛け部２６の上方に取り付けた意味がなくなる。
【０００７】
そこで、この発明は、上記従来の問題点を解決することをその課題としており、使用者がマッサージ機の座部に腰掛けたり、背もたれ部を倒してこの背もたれ部にもたれ掛かった状態においても、リモコンをリモコンホルダーに保持させたまま楽な姿勢で操作することのできるマッサージ機を提供することを目的としてなされたものである。
【０００８】
【課題を解決するための手段】
そのため、この発明のマッサージ機は、背もたれ部１の側部１ａに背もたれ１と座部２の間を移動自在として設けられたスタンド１０に取り付けたリモコンホルダー１１に、操作スイッチ９が設置面７ａに設けられたリモコン７を、その操作スイッチ９が露出するようにして着脱自在として保持したものとしている。
【０００９】
そして、この発明のマッサージ機は、前記リモコン７を、操作スイッチ９の設置面７ａを内向きにして、スタンド１０に取り付けたリモコンホルダー１１に保持したものとしている。
【００１０】
さらに、この発明のマッサージ機は、前記リモコン７を、操作スイッチ９の設置面７ａを上向きにして、スタンド１０に取り付けたリモコンホルダー１１に保持したものとしている。
【００１１】
また、この発明のマッサージ機は、前記スタンド１０を、背もたれ部１の内部に設けられた回動機構によって、背もたれ部１と座部２の間を移動自在としている。
【００１２】
さらにまた、この発明のマッサージ機は、前記スタンド１０を、使用者の手動操作によって背もたれ部１と座部２の間を移動自在としている。
【００１３】
【発明の実施の形態】
以下、この発明のマッサージ機の実施の形態を、図面に基づいて詳細に説明する。
【００１４】
図に示すこの発明のマッサージ機は、使用者の肩、腰、背中の接触部となる背もたれ部１と、使用者の尻の接触部となる座部２を備えたものとしている。さらに、座部２の前端部には、上下動自在とした足載せ台３を備えたものとしている。
【００１５】
背もたれ部１は、座部２の後部に起倒自在として取り付けたものとしている。背もたれ部１の上部には、頭当て４を設けたものとしている。背もたれ部１の内部には、上下動自在として位置変更できるマッサージ機構（図示せず）を備えたものとしている。このマッサージ機構は、揉み、叩き、ローリングなどのマッサージ施療を行う施療部材（図示せず）を設けたものとしている。
【００１６】
座部２の内部には、マッサージ機構（図示せず）を備えたものとしている。このマッサージ機構は、振動、ローリングなどのマッサージ施療を行う施療部材（図示せず）を設けたものとしている。座部２の左右には脇座５を備え、この脇座５の上方には肘掛け部６を設けたものとしている。脇座５には、後に述べるリモコン７の保持スペース８が設けられている。また、この保持スペース８は、図示していないが、肘掛け部６に設けることもできる。
【００１７】
足載せ台３は、必要に応じて、内部にマッサージ機構（図示せず）を備えたものとしている。このマッサージ機構は、振動、ローリングなどのマッサージ施療を行う施療部材（図示せず）を設けたものとすることができる。
【００１８】
リモコン７には、電源を入れたり切ったりしたり、マッサージ機構の揉み、叩き、ローリングなどの施療動作、首筋、肩部、腰部、背筋などのマッサージ施療の個所、マッサージ施療の強弱、マッサージ施療の時間などを設定操作するための操作スイッチ９が設置面７ａに設けられている。このリモコン７は、操作スイッチ９が露出するようにして、背もたれ部１の側部１ａに背もたれ部１と座部２の間を移動自在として設けられたスタンド１０に取り付けたリモコンホルダー１１に着脱自在として保持されている。図示したリモコンホルダー１１は、リモコン７の一側部を挟み込むようにして、リモコン７を着脱自在として保持したものとしているが、リモコン７の操作スイッチ９が露出するようにして着脱自在として保持したものとすれば、その形状や構造は限定されない。
【００１９】
スタンド１０は、パイプや棒などからなる細長状体としており、先端部にリモコンホルダー１１を取り付けたものとしており、基端部を背もたれ部１の側部に挿入し、背もたれ部１の内部に設けられた回動機構（図示せず）によって回動操作され、背もたれ部１と座部２の間を移動自在として設けられている。リモコンホルダー１１は、図１〜３に示した実施形態のように、リモコン７の操作スイッチ９の設置面７ａを内向きにしてリモコン７を立てて保持したり、図４〜６に示した実施形態のように、リモコン７の操作スイッチ９の設置面７ａを上向きにしてリモコン７を寝かせて保持したものとすることができる。
【００２０】
さらに、スタンド１０は、図７に示したような、金属製フレキシブルチューブなどとして、先端部にリモコンホルダー１１を取り付けたものとしており、基端部を背もたれ部１の側部１ａに固定し、使用者が手で曲げたり伸ばしたしすることによって手動操作され、背もたれ部１と座部２の間を移動自在として設けることもできる。なお、この場合にも、スタンド１０に取り付けたリモコンホルダー１１は、リモコン７の操作スイッチ９の設置面７ａを内向きにしてリモコン７を立てて保持したり、リモコン７の操作スイッチ１０の設置面７ａを上向きにしてリモコン７を寝かせて保持したものとすることができる。
【００２１】
このように構成したこの発明のマッサージ機は、図１、４に示したように、背もたれ部１を起こしている場合には、スタンド１０を回動機構によって回動操作することにより、背もたれ部１側から座部２側に約９０度回動させた位置に移動させれば（この場合、スタンド１０は略水平状態となる）、リモコン７が操作し易いものとなる。すなわち、図１に示したマッサージ機では、スタンド１０のリモコンホルダー１１に保持されたリモコン７が、使用者が座部１に腰掛けた状態では、その操作スイッチ９の設置面７ａが内向きになって、使用者の手が届き易い位置になる。図４に示したマッサージ機では、スタンド１０のリモコンホルダー１１に保持されたリモコン７が、使用者が座部１に腰掛けた状態では、その操作スイッチ９の設置面７ａが上向きになって、使用者の手が届き易い位置になる。したがって、図１、２のいずれの場合においても、使用者はリモコン７を手で持たなくてもよくなり、手で持つという負担が解消され、楽な姿勢でリモコン７を操作することができる。
【００２２】
また、この発明のマッサージ機は、図２、５に示したように、背もたれ部１を起こしている場合には、スタンド１０のリモコンホルダー１１からリモコン７を外して、そのリモコン７を座部２の脇座５に設けられた保持スペース８に保持し、スタンド１０を回動機構によって回動操作することにより、背もたれ部１側から座部２側に約９０度回動させた位置に移動させて、背もたれ部１の側部１ａに沿わせておけば（この場合、スタンド１０は略垂直状態となる）、このスタンド７が使用者の邪魔になることなく、リモコン７が操作し易いものとなる。すなわち、図２、５に示したマッサージ機ともに、座部２の脇座５に設けられた保持スペース８に保持したリモコン７が、使用者が座部１に腰掛けた状態では、その操作スイッチ９の設置面７ａが上向きになって、使用者の手が届き易い位置になる。したがって、使用者はリモコン７を手で持たなくてもよくなり、手で持つという負担が解消され、楽な姿勢でリモコン７を操作することができる。
【００２３】
さらに、この発明のマッサージ機は、図３、６に示したように、背もたれ部１を倒している場合には、スタンド１０を回動機構によって回動操作することにより、背もたれ部１側から座部２側に約９０度回動させた位置に移動させれば（この場合、スタンド１０は略垂直状態となる）、リモコン７が操作し易いものとなる。すなわち、図３に示したマッサージ機では、スタンド１０のリモコンホルダー１１に保持されたリモコン７が、使用者が背もたれ部１にもたれ掛かった状態では、その操作スイッチ９の設置面７ａが内向きになって、使用者の手が届き易い位置になる。図６に示したマッサージ機では、スタンド１０のリモコンホルダー１１に保持されたリモコン７が、使用者が背もたれ部１にもたれ掛かった状態では、その操作スイッチ９の設置面７ａが上向きになって、使用者の手が届き易い位置になる。したがって、図３、６のいずれの場合においても、使用者はリモコン７を手で持たなくてもよくなり、手で持つという負担が解消され、楽な姿勢でリモコン７を操作することができる。
【００２４】
【発明の効果】
この発明のマッサージ機は、以上に述べたように構成されており、使用者がマッサージ機の座部に腰掛けたり、背もたれ部を倒してこの背もたれ部にもたれ掛かった状態においても、リモコンをリモコンホルダーに保持させたまま楽な姿勢で操作することができるものとなった。
【図面の簡単な説明】
【図１】この発明のマッサージ機の一実施形態を示す斜視図である。
【図２】図１に示すこの発明のマッサージ機のスタンドの移動状態を示す斜視図である。
【図３】図１に示すこの発明のマッサージ機の使用状態を示す斜視図である。
【図４】この発明のマッサージ機の他の実施形態を示す斜視図である。
【図５】図４に示すこの発明のマッサージ機のスタンドの移動状態を示す斜視図である。
【図６】図４に示すこの発明のマッサージ機の使用状態を示す斜視図である。
【図７】この発明のマッサージ機のスタンドの他の例を示す斜視図である。
【図８】従来のマッサージ機の一例を示す斜視図である。
【符号の説明】
１  背もたれ部
１ａ  側部
２  座部
７  リモコン
７ａ  設置面
９  操作スイッチ
１０  スタンド
１１  リモコンホルダー
【図１】
2004290230.tif 000003
【図２】
2004290230.tif 000004
【図３】
2004290230.tif 000005
【図４】
2004290230.tif 000006
【図５】
2004290230.tif 000007
【図６】
2004290230.tif 000008
【図７】
2004290230.tif 000009
【図８】
2004290230.tif 000010